(57)【要約】【課題】収納ケース外部からのケース中央部加圧による記録媒体の係合解除が発生しないケースであり、ケースを開いた状態での円盤状記録媒体の着脱も容易にした円盤状記録媒体ケースの提供。【解決手段】本体基部と蓋部を持ち、蓋を開けた状態において円盤状記録媒体を着脱可能に保持するケースであって、本体基部には円盤状記録媒体の外周部外側の壁部と、円盤状記録媒体の外周部の三ヶ所以上を着脱可能に保持する外辺フックを備え、該外辺フックは本体基部から片持ち梁式に弾性支持された外辺フックを備えた。【選択図】図１
2006160267.tif 000002
【特許請求の範囲】
【請求項１】
本体基部と蓋部を持ち、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の二ヶ所以上を着脱可能に保持する外辺フックを備え、該外辺フックは本体基部から片持ち梁式に弾性支持された外辺フックを備えたことを特徴とする円盤状記録媒体ケース。
【請求項２】
本体基部と蓋部を持ち、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の一ヶ所以上を着脱可能に保持する外辺フックと、蓋部には円盤状記録媒体の浮き防止を図る一ヶ所以上の浮き防止片を備え、該外辺フックは本体基部から片持ち梁式に弾性支持された外辺フックであって、該浮き防止片は蓋部を閉じたとき円盤状記録媒体の表面付近に配され、蓋部を開けた時円盤状記録媒体から離れることを特徴とする円盤状記録媒体ケース。
【請求項３】
本体基部と蓋部を持ち、本体基部と蓋部間は中継板材でヒンジ接続され、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の一ヶ所以上を着脱可能に保持する外辺フックと、該中継板材には一ヶ所以上の押えリブを備え、該外辺フックは本体基部から片持ち梁式に弾性支持された外辺フックであって、中継板材に備えた該押えリブは蓋部を閉じたとき外片フックの当て部を押え、蓋部を開けた時に円盤状記録媒体から該浮き防止片が離れることを特徴とする円盤状記録媒体ケース。
【請求項４】
本体基部に一ヶ所以上の解放部を持つ円盤状記録媒体外周部を受ける外辺受け台座を備えたことを特徴とする請求項１から請求項３のいずれか１項に記載の円盤状記録媒体ケース。
【請求項５】
本体基部と蓋部を持ち、本体基部と蓋部間は中継板材でヒンジ接続され、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部表面の位置に来るよう配された浮き防止突起と、円盤状記録媒体外周部を受ける外辺受け台座と、円盤状記録媒体の外周部の一ヶ所以上を着脱可能に保持する外辺フックと、該中継板材には一ヶ所以上の押えリブを備え、該外辺フックは本体基部から片持ち梁式に弾性支持された外辺フックであって、中継板材に備えた該押えリブは蓋部を閉じたとき外片フックの当て部を押え、蓋部を開けた時に円盤状記録媒体から該浮き防止片が離れ、該外辺受け台座の一部に当り逃げを持つことを特徴とする円盤状記録媒体ケース。
【請求項６】
本体基部に円盤状記録媒体の中央穴部付近を受ける中央受け部を設けたことを特徴とする請求項１から請求項５のいずれか１項に記載の円盤状記録媒体ケース。
【請求項７】
該中央受け部に凹部を設けたことことを特徴とする請求項１から請求項６のいずれか１項に記載の円盤状記録媒体ケース。
【請求項８】
該蓋部を閉じることにより、該外辺フックの動きを矯正し、円盤状記録媒体への該外辺フックの係止開放を防止する一ヶ所以上の押えリブを蓋部または中継板材に設けたことを特徴とする請求項１から請求項７のいずれか１項に記載の円盤状記録媒体ケース。
【請求項９】
該蓋部を閉じることにより、円盤状記録媒体の表面を押すまたは、表面付近に配される一ヶ所以上の浮き防止片を蓋部または中継板材に備え、蓋部を開けた時に円盤状記録媒体から該浮き防止片が離れることを特徴とする請求項１から請求項８のいずれか１項に記載の円盤状記録媒体ケース。
【発明の詳細な説明】
【技術分野】
【０００１】
本発明は、ＣＤ、ＤＶＤ、ゲームソフト等の円盤状記録媒体であるディスクを保持し、安定して保持されると共に容易に取り外すことが出来る円盤状記録媒体ケースに関するものである。
【背景技術】
【０００２】
ＣＤ、ＤＶＤ、ゲームソフト等の円盤状記録媒体であるディスクは、中心に小さな円形穴を貫通して設けられている。そして、該円盤状記録媒体は厚さの薄い収納ケースに収納されているが、該収納ケースはベース側最広面を持つ箱型形状の本体基部とカバー側最広面を持つ蓋からなっている。また、本体基部と蓋部を中継板材にてヒンジ接続するケースもある。
【０００３】
ところで、円盤状記録媒体は本体基部の中央部付近に設けた保持部が円盤状記録媒体の中央穴に嵌ることで取付けられる。該保持部の形態は色々知られている。特許公表２００２−５３９５７８号、特表２０００−５０８９９７号、特表平１０−５０２５９９号。
【０００４】
これら円盤状記録媒体の中央穴に嵌ることで取付けられる保持装置は、収納ケースを閉じた状態に置いて、収納ケースの外部から円盤状記録媒体の中央穴付近を加圧した場合、円盤状記録媒体の係合が解除され、円盤状記録媒体が収納ケース内にてガタツク問題がある。この状態で輸送等の振動が加わった場合、ディスク表面が傷つく問題があった。
【０００５】
これに対し、ディスク外周縁を止着するようにしたディスク保持装置も知られている。例えば、特開平１１−７９２６９号に係る「ディスク保持装置」は、ディスクを挿入するほぼ円形の開口部を形成する一対の弧状のロケーターと、担持部材とクリップ部材とからなるディスクを偏倚させてクリップ部材と係合させるリーフスプリングのような手段とを備えている。
【０００６】
該ディスク保持装置にディスクを係合する際、担持部材にディスクを引っ掛けるためには挿入方向が発生する。またディスク解放時はレバーを備えたクリップ部材を押すことにより係合が解除される。しかし、このような上記２点支持ではディスクの固定時および解放時にディスクが安定し難いといった問題もある。
【０００７】
これに対し、発明者は、特願２００２−３８０６９３にて「円盤状記録媒体の収納ケース」を提案している。この時の構成は、「円盤状記録媒体の外周部を支持すると共に外周に係止する着脱部材を上記外周縁を切欠いて設け、該着脱部材は揺動するレバーの内側にディスク外周部が載って支持される持ち上げ部を有すると共に外側にはボタンを形成し、そしてレバーにはディスク外周に係止するフックを設けた。」としている。
【０００８】
この場合、ボタンは円盤状記録媒体の外周縁から距離があり、ボタンを押して円盤状記録媒体の係合を解除した後、あらためて記録媒体を持つ動作をする必要があった。つまり、収納ケースを傾けて保持しボタンを押した場合、ディスクの係合が解除され、そのままディスクが落下する場合があった。
【特許文献１】特表平１０−５０２５９９号
【特許文献２】特開平１１−７９２６９号
【特許文献３】特表２０００−５０８９９７号
【特許文献４】特許公表２００２−５３９５７８号
【特許文献５】特願２００２−３８０６９３号
【発明の開示】
【発明が解決しようとする課題】
【０００９】
本発明は、上述した問題点を鑑みてなされたもので、収納ケース外部からのケース中央部加圧による記録媒体の係合解除が発生しないケースであり、ケースを開いた状態での円盤状記録媒体の着脱も容易にした円盤状記録媒体ケースの提供を目的とする。
【課題を解決するための手段】
【００１０】
上記目的を達成するために、本願１の請求項１に記載の発明は、本体基部と蓋部を持ち、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の二ヶ所以上を着脱可能に保持する外辺フックを備え、該外辺フックは本体基部から片持ち梁式に弾性支持された外辺フックを備えたことを特徴とする。
【００１１】
そして、請求項１に記載の発明によれば、ケースの蓋を開けた状態において、円盤状記録媒体の外周部外側に配された壁部に沿って円盤状記録媒体を押し込むならば、本体基部から片持ち梁式に弾性支持された外辺フックが撓み、さらに円盤状記録媒体を押し込むことにより、外辺フックは元の位置に戻り、円盤状記録媒体を係止することができる。また、円盤状記録媒体を持ち上げると外辺フックが撓み、係止は解かれ、円盤状記録媒体を容易に取り出すことができる。
【００１２】
本願の請求項２に記載の発明は、本体基部と蓋部を持ち、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の一ヶ所以上を着脱可能に保持する外辺フックと、蓋部には円盤状記録媒体の浮き防止を図る一ヶ所以上の浮き防止片を備え、該外辺フックは本体基部から片持ち梁式に弾性支持された外辺フックであって、該浮き防止片は蓋部を閉じたとき円盤状記録媒体の表面付近に配され、蓋部を開けた時円盤状記録媒体から離れることを特徴とする。
【００１３】
そして、請求項２に記載の発明によれば、ケースの蓋を開けた状態において、円盤状記録媒体の外周部外側に配された壁部に沿って円盤状記録媒体を押し込むならば、本体基部から片持ち梁式に弾性支持された外辺フックが撓み、さらに円盤状記録媒体を押し込むことにより、外辺フックは元の位置に戻り、円盤状記録媒体を係止することができる。さらに、蓋を閉じることにより、蓋部に備えた浮き防止片は円盤状記録媒体表面付近に配され、ケースを閉じた状態での円盤状記録媒体の指定位置からの浮揚を防止することができる。
【００１４】
本願の請求項３に記載の発明は、本体基部と蓋部を持ち、本体基部と蓋部間は中継板材でヒンジ接続され、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部の一ヶ所以上を着脱可能に保持する外辺フックと、該中継板材には一ヶ所以上の押えリブを備え、該外辺フックは本体基部から片持ち梁式に弾性支持された外辺フックであって、中継板材に備えた該押えリブは蓋部を閉じたとき外片フックの当て部を押え、蓋部を開けた時に円盤状記録媒体から該浮き防止片が離れることを特徴とする。
【００１５】
そして、請求項３に記載の発明によれば、ケースの蓋を開けた状態において、円盤状記録媒体の外周部外側に配された壁部に沿って円盤状記録媒体を押し込むならば、本体基部から片持ち梁式に弾性支持された外辺フックが撓み、さらに円盤状記録媒体を押し込むことにより、外辺フックは元の位置に戻り、円盤状記録媒体を係止することができる。さらに、蓋を閉じることにより、中継板材に備えた押えリブが外辺フックの当て部を押え、円盤状記録媒体を係止する外辺フック動きを規制し、係止の解放を防止することができる。
【００１６】
本願の請求項４に記載の発明は、本体基部に円盤状記録媒体外周部を受ける外辺受け台座を備えたことを特徴とする。
【００１７】
そして、請求項４に記載の発明によれば、本体基部から浮いた位置に円盤状記録媒体を保持することができ、よって円盤状記録媒体を摘むことが容易になり、したがってより容易に円盤状記録媒体の着脱が容易とすることができる。
【００１８】
本願の請求項５に記載の発明は、本体基部と蓋部を持ち、本体基部と蓋部間は中継板材でヒンジ接続され、蓋を開けた状態において円盤状記録媒体を着脱可能に保持するケースであって、本体基部には一ヶ所以上の解放部を持つ円盤状記録媒体の外周部外側の壁部と、円盤状記録媒体の外周部表面の位置に来るよう配された浮き防止突起と、円盤状記録媒体外周部を受ける外辺受け台座と、円盤状記録媒体の外周部の一ヶ所以上を着脱可能に保持する外辺フックと、該中継板材には一ヶ所以上の押えリブを備え、該外辺フックは本体基部から片持ち梁式に弾性支持された外辺フックであって、中継板材に備えた該押えリブは蓋部を閉じたとき外片フックの当て部を押え、蓋部を開けた時に円盤状記録媒体から該浮き防止片が離れ、該外辺受け台座の一部に当り逃げを持つことを特徴とする。
【００１９】
そして、請求項５に記載の発明によれば、ケースの蓋を開けた状態において、円盤状記録媒体の外周部外側に配された壁部に沿って円盤状記録媒体を押し込むならば、本体基部から片持ち梁式に弾性支持された外辺フックが撓み、さらに円盤状記録媒体を押し込むことにより、外辺フックは元の位置に戻り、円盤状記録媒体を係止することができる。さらに、蓋を閉じることにより、中継板材に備えた押えリブが外辺フックを押え、ケースを閉じた状態での円盤状記録媒体のガタツキを押えることができる。
【００２０】
また、ケースの蓋を開けた状態において、円盤状記録媒体を取り外す際、円盤状記録媒体の端を摘んで持ち上げるならば、円盤状記録媒体の摘んだ部分の反対端は、円盤状記録媒体の外周部表面の位置に来るよう配された浮き防止突起と離れる方向に動き、よりスムーズに円盤状記録媒体を取り外すことができる。
【００２１】
本願の請求項６に記載の発明は、本体基部に円盤状記録媒体の中央穴部付近を受ける中央受け部を設けたことを特徴とする。
【００２２】
そして、請求項６に記載の発明によれば、ケースに対し円盤状記録媒体の位置をより安定させることができる。
【００２３】
本願の請求項７に記載の発明は、本体基部の中央受け部に凹部を設けたことことを特徴とする
【００２４】
そして、請求項７に記載の発明によれば、ケースに対し円盤状記録媒体の位置をより安定させることができると共に、円盤状記録媒体の中央穴に指を挿して円盤状記録媒体を掴む事を妨げずにおくことができる。
【００２５】
本願の請求項８に記載の発明は、該蓋部を閉じることにより、該外辺フックの動きを矯正し、円盤状記録媒体への該外辺フックの係止開放を防止する一ヶ所以上の押えリブを蓋部または中継板材に設けたことを特徴とする。
【００２６】
そして、請求項８に記載の発明によれば、内部に円盤状記録媒体を保持したケースに落下、振動、加圧等の外的応力を加えても、押えリブが円盤状記録媒体への該外辺フックの係止開放を防止し、安定的に円盤状記録媒体を保持し続けることができる。
【００２７】
本願の請求項９に記載の発明は、該蓋部を閉じることにより、円盤状記録媒体の表面を押すまたは、表面付近に配される一ヶ所以上の浮き防止片を蓋部または中継板材に備え、蓋部を開けた時に円盤状記録媒体から該浮き防止片が離れることを特徴とする。
【００２８】
そして、請求項９に記載の発明によれば、内部に円盤状記録媒体を保持したケースに落下、振動、加圧等の外的応力を加えても、浮き防止片が円盤状記録媒体の浮き、動きを規制し、安定的に円盤状記録媒体を保持し続けることができる。
【発明の効果】
【００２９】
本発明に係る円盤状記録媒体ケースは、円盤状記録媒体の係止において、円盤状記録媒体の中央穴部を使用せず、円盤状記録媒体の外周辺にかかる外辺フックを配することにより、外部からのケース中央部加圧による記録媒体の係合解除が発生しないケースとなり、さらに円盤状記録媒体の着脱も容易にしたケースを提供することができる。
【発明を実施するための最良の形態】
【００３０】
本体基部と蓋部を持ち、本体基部と蓋部間は中継板材でヒンジ接続され、本体基部には円盤状記録媒体の外周部外側の壁部と、外辺受け台座と、凹部を設けた中央受け部と、外辺フックと、蓋部には浮き防止片と、中継板材には、該外辺フックの係止を固定する凸部位を備える。
【実施例】
【００３１】
本発明に係る実施例を図面に基づいて詳細に説明する。図１は本発明に係る円盤状記録媒体ケースの実施例である。同図の１は本体基部、２は蓋を示し、本体基部１はベース側最広面を持つ箱型形状を成し、蓋２はカバー最広面を有し、そして蓋は中継板材３を介して本体基部１に繋がっている。
【００３２】
本体基部１は、中央受け部４、外辺受け台座６を備え、該中央受け部４には凹部５を備え、外辺受け台座６には片持ち梁式に外辺フック８が配されている。蓋２は、浮き防止片７を備え、中継板材３は、押えリブ９を備えている。外辺フック８は薄肉部１２を支点にヒンジ的に揺動する。
【００３３】
図２は、円盤状記録媒体のディスク１０を、蓋を開けた状態の収納ケースに収めた状態を示した実施例である。また、図３は、外辺フック８、押えリブ９の拡大図である。
【００３４】
円盤状記録媒体ケースにディスク１０を収納する際には、ディスク１０を中央受け部４、外辺受け台座６、外辺フック８の上に置き、さらにディスク１０を押し込むならば、外辺フック８は、ディスク１０から逃げるようにディスク中央から離れる方向に揺動する。ディスク１０が外辺受け台座６および中央受け部４に当る程に押し込まれたならば、外辺フック８は元の位置に復帰する。これにより係止部１４はディスク１０の上にかぶさる位置になり、ディスク１０はケースに係止される。
【００３５】
図４は、円盤状記録媒体ケースを閉じた状態のディスク１０と外辺フック８、押えリブ９の関係を示す断面図である。ディスク１０をケースに係止した状態で、蓋２を閉じるならば、中継板材３に配された押えリブ９は、外辺フック８の外側に配した当て部１３を押える。ケースに落下、振動が加えられたとき、浮き防止片７はディスク１０がディスクの受け面から離れる動きを抑制し、また押えリブ９は、外辺フック８がディスク１０から外れる事を防止する。
【００３６】
図５は、円盤状記録媒体ケースを閉じた状態のディスク１０と外辺受け台座６、浮き防止片７の関係を示す断面図である。この時、蓋２に配された浮き防止片７は、ディスク１０の表面を押している。また、浮き防止片７はディスク１０の表面から浮かせる、または接する位置に配する場合もある。
【００３７】
ディスク１０を収納しているケースからディスク１０を取り出す際には、まず蓋２を開ける。この時、蓋２に配された浮き防止片７は、ディスク１０の表面から離れ、中継板材３に配された押えリブ９は、外辺フック８から離れ、外辺フック８は容易な力で揺動する状態になる。
【００３８】
図２、または図４、図５で示すように、ディスク１０は、外辺受け台座６、中央受け部４の上に有り、本体基部平面から浮いた位置に係止されている。この状態においてディスク１０の中央穴１１に人差し指を差し込み、ディスク１０の外周部に親指を当てるならば、容易にディスク１０を掴む事ができ、手の小さな人にも楽にディスクを持つことが出来る。
【００３９】
ディスク１０を摘み、ケースから取り出す方向引き上げるならば、外辺フック８は、ディスク１０から逃げるようにディスク中央から離れる方向に揺動する。ディスク１０が取り外されたならば、外辺フック８は元の位置に復帰する。
【００４０】
図６は、本発明に係る円盤状記録媒体ケースの実施例である。図１のケースと異なり、外辺フック８を1ヶ所と、浮き防止突起１５を２ヶ所備えている。さらに外辺受け台座６の一部に当り逃げ１６を備えている。
【００４１】
図７は、ディスク１０を収納ケースに収めた状態を示した実施例である。
【産業上の利用可能性】
【００４２】
本発明の円盤状記録媒体ケースは、ＤＶＤディスクの収納ケースに使用できる。現状ＤＶＤは、ケースの供給、ＤＶＤディスクの供給からシュリンクまで自動機にて実施されていることが多い。シュリンクまでされた製品においてケース中央部を加圧して、ＤＶＤディスクの保持が外れた場合、開封して包装をやり直す必要があった。しかし、ＤＶＤディスク中央穴の保持を使用していない本発明のケースは、ＤＶＤディスクの保持が外れる可能性が極めて低く、開封して包装をやり直す必要が無くなる。また、現状の円盤状記録媒体中央穴保持ケース対応型の自動機でも、自動機のＤＶＤディスク押え辺の形状変更だけで、本発明の円盤状記録媒体ケースに対応できる。
【図面の簡単な説明】
【００４３】
【図１】本発明に係る円盤状記録媒体ケースの実施例である。
【図２】ディスク１０を収納ケースに収めた状態を示した実施例である。
【図３】外辺フック８、押えリブ９の拡大図である。
【図４】円盤状記録媒体ケースを閉じた状態のディスク１０と外辺フック８、押えリブ９の関係を示す断面図である。
【図５】円盤状記録媒体ケースを閉じた状態のディスク１０と外辺受け台座６、浮き防止片７の関係を示す断面図である。
【図６】本発明に係る円盤状記録媒体ケースの実施例である。
【図７】ディスク１０を収納ケースに収めた状態を示した実施例である。
【符号の説明】
【００４４】
１    本体基部
２    蓋
３    中継板材
４    中央受け部
５    凹部
６    外辺受け台座
７    浮き防止片
８    外辺フック
９    押えリブ
１０  ディスク
１１  中央穴
１２  薄肉部
１３  当て部
１４  係止部
１５  浮き防止突起
１６  当り逃げ
【図１】
2006160267.tif 000003
【図２】
2006160267.tif 000004
【図３】
2006160267.tif 000005
【図４】
2006160267.tif 000006
【図５】
2006160267.tif 000007
【図６】
2006160267.tif 000008
【図７】
2006160267.tif 000009